(57)【要約】【課題】ピック部にアルミホイルやラップを巻くことなく、そのままケーキ等の食品に立てて使用することができるアルファベットキャンドルを提供すること。【解決手段】楊枝状のピック部２の端部に英文字形のキャンドル部３を取り付け、該キャンドル部３にウィック部４を植設して成るアルファベットキャンドル１において、ピック部２を澱粉１００％の生分解物質で構成する。又、ウィック部４を綿１００％で構成するとともに、ウィック部４をキャンドル部３の表面から所定深さに部分的に埋設する。  本発明によれば、ピック部２を構成する澱粉１００％の生分解物質にはカビ等が生えにくく衛生的であり、これに防カビ剤を噴霧する等の処理が不要となるため、ピック部２にアルミホイルやラップを巻くことなく、当該アルファベットキャンドル１をそのままケーキ等の食品に立てて使用することができる。【選択図】図１
2005042094.tif 000002
【特許請求の範囲】
【請求項１】
楊枝状のピック部の端部に英文字形のキャンドル部を取り付け、該キャンドル部にウィック部を植設して成るアルファベットキャンドルにおいて、
前記ピック部を澱粉１００％の生分解物質又はプラスチックで構成したことを特徴とするアルファベットキャンドル。
【請求項２】
前記ウィック部を綿１００％で構成するとともに、該ウィック部を前記キャンドル部の表面から所定深さに部分的に埋設したことを特徴とする請求項１記載のアルファベットキャンドル。
【請求項３】
前記ウィック部の根元部分に難燃性の消火剤を付着させたことを特徴とする請求項１又は２記載のアルファベットキャンドル。
【請求項４】
前記キャンドル部をパラフィンワックス１００％で構成したことを特徴とする請求項１〜３の何れかに記載のアルファベットキャンドル。
【発明の詳細な説明】
【技術分野】
【０００１】
本発明は、ケーキ等に複数立てて意味のある英単語や英文を形作るアルファベットキャンドルに関するものである。
【背景技術】
【０００２】
この種のアルファベットキャンドルは、楊枝状のピック部の端部に英文字形のキャンドル部を取り付け、該キャンドル部にウィック部を植設して構成されるが、その使用形態としては、例えば誕生日用のオーナメントが考えられる。具体的には、複数のアルファベットキャンドルをバースデイケーキに立てて『ＨＡＰＰＹ  ＢＩＲＴＨＤＡＹ』という意味のある英文を形作ることが行われている。
【発明の開示】
【発明が解決しようとする課題】
【０００３】
しかしながら、従来のアルファベットキャンドルにおいては、ピック部には竹等の木製のものが専ら用いられていたため、この木製のピック部に水分が吸収されて蓄えられる結果、カビが発生する可能性が高いという問題があった。このため、ピック部に防カビ剤を噴霧する等の方法が採用されていたが、この方法は食品衛生上好ましくなく、従って、ピック部にアルミホイルやラップを巻いてからケーキ等に差す必要があった。
【０００４】
従って、本発明の目的とする処は、ピック部にアルミホイルやラップを巻くことなく、そのままケーキ等の食品に立てて使用することができるアルファベットキャンドルを提供することにある。
【０００５】
又、従来のアルファベットキャンドルにあっては、キャンドル部やウィック部に有害物質が使用されていたため、幼児等が過って口にすると危険であるという問題があった。
【０００６】
更に、キャンドル部が最後まで尽き得る燃えるよう、ウィック部はキャンドル部の底面まで達するまで埋め込まれていたため、途中で消火しなければピック部に引火して危険であるという問題もあった。
【０００７】
従って、本発明の他の目的とする処は、無害で安全なアルファベットキャンドルを提供することにある。
【課題を解決するための手段】
【０００８】
上記目的を達成するため、請求項１記載の発明は、楊枝状のピック部の端部に英文字形のキャンドル部を取り付け、該キャンドル部にウィック部を植設して成るアルファベットキャンドルにおいて、前記ピック部を澱粉１００％の生分解物質又はプラスチックで構成したことを特徴とする。
【０００９】
請求項２記載の発明は、請求項１記載の発明において、前記ウィック部を綿１００％で構成するとともに、該ウィック部を前記キャンドル部の表面から所定深さに部分的に埋設したことを特徴とする。
【００１０】
請求項３記載の発明は、請求項１又は２記載の発明において、前記ウィック部の根元部分に難燃性の消火剤を付着させたことを特徴とする。
【００１１】
請求項４記載の発明は、請求項１〜３の何れかに記載の発明において、前記キャンドル部をパラフィンワックス１００％で構成したことを特徴とする。
【発明の効果】
【００１２】
請求項１記載の発明によれば、ピック部を構成する澱粉１００％の生分解物質又はプラスチックにはカビ等が生えにくく衛生的であり、これに防カビ剤を噴霧する等の処理が不要となるため、ピック部にアルミホイルやラップを巻くことなく、当該アルファベットキャンドルをそのままケーキ等の食品に直接立てて使用することができる。
【００１３】
請求項２記載の発明によれば、ウィック部に綿１００％を使用し、鉛等の不純物を一切使用しないため、燃焼によって有毒物質が発生せず安全である。又、キャンドル部に部分的に埋設したウィック部までキャンドル部が燃えると自動消火するため、ピック部に引火することがなく安全である。
【００１４】
請求項３記載の発明によれば、ウィック部の根元部分に難燃性の消火剤を付着させたため、当該アルファベットキャンドルに点火してウィック部の根元部分に火が到達すると、消火剤による消化作用によって自己消火し、ピック部に火が移ることがなく安全である。
【００１５】
請求項４記載の発明によれば、発ガン性がなく食品衛生法によっても食品添加物として認められているパラフィンワックス１００％でキャンドル部を構成したため、幼児等が過ってキャンドル部を口にしても無毒で安全である。
【発明を実施するための最良の形態】
【００１６】
以下に本発明の実施の形態を添付図面に基づいて説明する。
【００１７】
＜実施の形態１＞
図１は本発明の実施の形態１に係るアルファベットキャンドルの正面図、図２は同アルファベットキャンドルのキャンドル部を示す図であり、同図（ａ）は正面図、（ｂ）は側面図、（ｃ）は平面図である。
【００１８】
本発明に係るアルファベットキャンドル１は、図１に示すように、楊枝状のピック部（キャンドル立て部）２の先端部（上端部）に英文字形（図示例ではアルファベット『Ｈ』形の）キャンドル部３を取り付け、該キャンドル部３にウィック部（芯部）４を植設して構成されている。
【００１９】
ここで、上記ピック部４は澱粉１００％の生分解物質で構成されている。尚、澱粉１００％の生分解物質は、これを廃却した場合には自然界の微生物によって最終的には無害な水と二酸化炭素に分解され、焼却した場合も熱量が低いために焼却炉を傷付けることがなく、ダイオキシン等の有害物質を排出することもない。
【００２０】
又、前記キャンドル部３は、パラフィンワックス１００％で構成され、前記ウィック部４は綿１００％で構成されている。
【００２１】
ここで、キャンドル部３の寸法を図２に示すが、本実施の形態では、該キャンドル部３の幅Ｂは１７ｍｍ、高さＨは１６ｍｍ、厚さｔは６ｍｍに設定されており、ウィック部４はキャンドル部３の上面から所定深さｈ（＝５ｍｍ〜１０ｍｍ）まで部分的に埋設されている。尚、ウィック部４がキャンドル部３に部分的に埋設される深さｈは、後述のように当該アルファベットキャンドル１が点火されて自動消火するまでの時間が３〜５分程度となる値に設定され、本実施の形態では５ｍｍ〜１０ｍｍに設定されている。
【００２２】
以上のように構成されるアルファベットキャンドル１は、図３に示すように、異なる英文字形（図示例では、アルファベット『Ｈ』、『Ａ』、『Ｐ』、『Ｙ』、『Ｂ』、『Ｉ』、『Ｒ』、『Ｔ』、『Ｄ』）のキャンドル部３を備える複数のものを並設することによって、例えば『ＨＡＰＰＹ  ＢＩＲＴＨＤＡＹ』（お誕生日おめでとう）という意味のある英文を形作ることができる。
【００２３】
そして、このような意味のある英文を形作る複数のアルファベットキャンドル１は、図４に示すように、２つの通常のキャンドル５と共に矩形箱状のクリアケース６に収納されて製品として販売される。尚、各アルファベットキャンドル１及び通常のキャンドル２は、そのピック部５を紙製のベース７に差し込むことによって、図示のようにクリアケース６内に立設されて収納されている。
【００２４】
而して、図４に示すような形態の商品を購入したユーザーは、不図示のバースデイケーキにアルファベットキャンドル１と通常のキャンドル５を突き刺すことによって、これらをバースデイケーキに立てることができるが、このとき、複数のアルファベットキャンドル１を、それらのキャンドル部３によって『ＨＡＰＰＹ  ＢＩＲＴＨＤＡＹ』なる意味のある英文が形作られるように配列する。
【００２５】
そして、各キャンドル１，５のウィック部４に点火してキャンドル１，５を点すが、点火直後のキャンドル部３の状態を図５（ａ）に示す。点火後、キャンドル部３はウィック部４の周辺から燃えて消滅してゆくが、前述のようにウィック部４はキャンドル部３の上面から所定深さｈ（＝５ｍｍ〜１０ｍｍ）に部分的に埋設されているため、点火から３〜５分が経過して図５（ｂ）に示すようにキャンドル部３がウィック部４の埋設深さ付近まで燃えて無くなると、ウィック部４が倒れるために自動消火し、ピック部２に引火することがなく安全である。
【００２６】
又、ウィック部４に綿１００％を使用し、鉛等の不純物を一切使用していないため、ウィック部４の燃焼によって有毒物質が発生せず安全である。
【００２７】
更に、本発明に係るアルファベットキャンドル１においては、ピック部２に澱粉１００％の生分解物質を使用したため、この部分にカビ等が生えにくく衛生的であり、該ピック部２に防カビ剤を噴霧する等の処理が不要となる。このため、ピック部２にアルミホイルやラップを巻くことなく、当該アルファベットキャンドル１をそのままバースデイケーキに直接立てて使用することができる。
【００２８】
又、本発明に係るアルファベットキャンドル１においては、発ガン性がなく食品衛生法によっても食品添加物として認められているパラフィンワックス１００％でキャンドル部３を構成したため、幼児等が誤ってキャンドル部３を口にしても無毒で安全である。
【００２９】
＜実施の形態２＞
次に、本発明の実施の形態２を図６に基づいて説明する。
【００３０】
図６は本実施の形態に係るアルファベットキャンドルの構成とその自己消火の様子を示す図であり、本図においては図１〜図５に示したものと同一要素には同一符号を付している。
【００３１】
本実施の形態に係るアルファベットキャンドル１は、ピック部４をプラスチックで構成し、キャンドル部３の上面から所定深さｈまで部分的に埋設されたウィック部４の根元部分（図示Ａ部分）難燃性の消火剤を付着させたことを特徴とし、他の構成は前記実施の形態１のそれと同じである。
【００３２】
而して、本実施の形態に係るアルファベットキャンドル１のピック部２には、耐食性、安全性及び強度の高いプラスチックを使用したため、この部分にカビ等が生えにくく衛生的であり、該ピック部２に防カビ剤を噴霧する等の処理が不要となる。このため、ピック部２にアルミホイルやラップを巻くことなく、当該アルファベットキャンドル１をそのままバースデイケーキに直接立てて使用することができる。
【００３３】
又、当該アルファベットキャンドル１のウィック部４に点火して該キャンドル１を点す場合、点火直後のキャンドル部３の状態を図６（ａ）に示す。点火後、キャンドル部３はウィック部４の周辺から燃えて消滅してゆくが、前述のようにウィック部４はキャンドル部３の上面から所定深さｈに部分的に埋設され、しかも、ウィック部４の根元部分（図示Ａ部分）には難燃性の消火剤を付着させたため、点火から５〜７分が経過して図６（ｂ）に示すようにウィック部４の根元部分に火が到達すると、該ウィック部４の根元部分に付着した消火剤による消化作用によって自己消火し、可燃性のプラスチックで構成されたピック部２に火が移ることがなく安全である。
【００３４】
その他、本実施の形態においては、前記実施の形態１において得られたと同様の効果が得られる。
【００３５】
尚、以上は複数のアルファベットキャンドルを並べて『ＨＡＰＰＹ  ＢＩＲＴＨＤＡＹ』なる英文を形作った例について説明したが、その他『ＭＥＲＲＹ  ＣＨＲＩＳＴＭＡＳ』、『Ｉ  ＬＯＶＥ  ＹＯＵ』、『ＴＨＡＮＫＳ  ＴＯ  ＹＯＵ』等、任意の英文を形作ることができることは勿論である。
【産業上の利用可能性】
【００３６】
本発明は、複数の配列によって意味のある英単語や英文を形作るアルファベットキャンドルに対して適用可能であって、その用途は任意である。
【図面の簡単な説明】
【００３７】
【図１】本発明の実施の形態１に係るアルファベットキャンドルの正面図である。
【図２】本発明の実施の形態１に係るアルファベットキャンドルのキャンドル部を示す図であり、同図（ａ）は正面図、（ｂ）は側面図、（ｃ）は平面図である。
【図３】本発明の実施の形態１に係るアルファベットキャンドルを複数配列して英文を作成した形態を示す図である。
【図４】本発明の実施の形態１に係るアルファベットキャンドルの商品形態を示す斜視図である。
【図５】本発明の実施の形態１に係るアルファベットキャンドルの自動消火の様子を示す図である。
【図６】本発明の実施の形態２に係るアルファベットキャンドルの構成とその自己消火の様子を示す図である。
【符号の説明】
【００３８】
１      アルファベットキャンドル
２      ピック部
３      キャンドル部
４      ウィック部
５      通常のキャンドル
６      クリアケース
７      ベース
【図１】
2005042094.tif 000003
【図２】
2005042094.tif 000004
【図３】
2005042094.tif 000005
【図４】
2005042094.tif 000006
【図５】
2005042094.tif 000007
【図６】
2005042094.tif 000008